(57)【要約】  【課題】  携帯電話機の多くのユーザは設定操作が煩瑣であること等の理由から、着信の相手に応じて異なる楽曲をそれぞれ設定して利用しているユーザは現実には少ないのが実情である。  【解決手段】  携帯電話機１のユーザが着信相手を感覚的に分類してキーワードを設定することにより、その分類に対応したキーワードが付与された着メロが携帯電話機置での着信時に再生出力されるように構成した。キーワードが付与された着メロは特定のウェブサイトからダウンロード可能であり、またキーワードが付与されていない着メロに関しては、サービスサイトへ着メロの曲名を送信することにより対応するキーワードを取得することが可能であり、更には携帯電話機１に内蔵されている着メロ分類ソフトウェアに基づいて、または楽曲データを解析することにより分類してキーワードを自動的に付与することも可能である。【選択図】      図１
2006229348.tif 000002
【特許請求の範囲】
【請求項１】
予め登録された通信端末装置からの着信時に所定の楽曲データを再生出力する着信通知手段を備えた通信端末装置において、
他の通信端末装置を特定する情報に対応付けて複数のキーワードの内のいずれかの設定を受け付けるキーワード受け付け手段と、
複数の通信端末装置それぞれを特定する情報及びそれぞれに対応付けて前記キーワード受け付け手段が受け付けたキーワードを記憶する第１の記憶手段と、
前記複数のキーワードの内の１又は複数が付与された楽曲を再生出力するための楽曲データを記憶する第２の記憶手段と
を備え、
前記着信通知手段は、他の通信端末装置からの着信時に、当該通信端末装置を特定する情報に対応付けられているキーワードを前記第１の記憶手段から読み出し、読み出したキーワードが付与されている楽曲データを前記第２の記憶手段から読み出して再生出力するように構成されていることを特徴とする通信端末装置。
【請求項２】
キーワードが付与されている楽曲データを外部から受信する受信手段と、
該受信手段が受信した楽曲データをそれぞれに付与されているキーワードに対応して前記第２の記憶手段に記憶させる手段と
を更に備えたことを特徴とする請求項１に記載の通信端末装置。
【請求項３】
キーワードの変更を受け付ける手段と、
該手段が受け付けたキーワードで、前記第２の記憶手段に記憶されているキーワードを変更するキーワード変更手段と
を更に備えたことを特徴とする請求項２に記載の通信端末装置。
【請求項４】
キーワードが付与されていない楽曲データを外部から受信する受信手段と、
該受信手段が受信した楽曲データをそれぞれの特性に応じて前記複数のキーワードに対応して分類し、分類結果に従ってキーワードを付与する楽曲データ分類手段と、
前記受信手段が受信した楽曲データを前記楽曲データ分類手段が付与したキーワードに対応して前記第２の記憶手段に記憶させる手段と
を更に備えたことを特徴とする請求項１に記載の通信端末装置。
【請求項５】
前記楽曲データ分類手段は、前記受信手段が受信した楽曲データを、曲名、曲調、リズム、テンポ、ダイナミックレンジのいずれか一つ又は複数に基づいて分類するようにしてあることを特徴とする請求項４に記載の通信端末装置。
【請求項６】
キーワードの変更を受け付ける手段と、
該手段が受け付けたキーワードで、前記楽曲データ分類手段が付与したキーワード及び／又は前記第２の記憶手段に記憶されているキーワードを変更するキーワード変更手段と
を更に備えたことを特徴とする請求項５に記載の通信端末装置。
【請求項７】
予め登録された通信端末装置からの着信時に所定の楽曲データを再生出力する着信通知手段を備えた通信端末装置と、該通信端末装置と通信可能な中央装置とを含む通信システムにおいて、
前記通信端末装置は、他の通信端末装置を特定する情報に対応付けて複数のキーワードの内のいずれかの設定を受け付けるキーワード受け付け手段と、複数の通信端末装置それぞれを特定する情報及びそれぞれに対応付けて前記キーワード受け付け手段が受け付けたキーワードを記憶する第１の記憶手段と、前記複数のキーワードの内の１又は複数が付与された楽曲を再生出力するための楽曲データを記憶する第２の記憶手段と、キーワードが付与されていない楽曲データを外部から受信する受信手段と、該受信手段が受信した楽曲データを特定する情報に基づいて前記中央装置から前記複数のキーワードの内の１又は複数を取得するキーワード取得手段とを備え、前記第２の記憶手段は前記キーワード取得手段が取得したキーワードを前記受信手段が受信した楽曲データに付与して記憶するようにしてあり、
前記中央装置は、複数の楽曲を特定する情報と前記キーワードの内の１又は複数とを対応付けて記憶したキーワード記憶手段と、前記通信端末装置から楽曲を特定する情報を受信した場合に、受信した楽曲を特定する情報に対応付けられているキーワードを前記キーワード記憶手段から読み出して前記通信端末装置へ送信する手段とを備え、
前記通信端末装置の前記着信通知手段は、他の通信端末装置からの着信時に、当該通信端末装置を特定する情報に対応付けられているキーワードを前記第１の記憶手段から読み出し、読み出したキーワードが付与されている楽曲データを前記第２の記憶手段から読み出して再生出力するように構成されていることを特徴とする通信システム。
【請求項８】
前記通信端末装置は、
キーワードの変更を受け付ける手段と、
該手段が受け付けたキーワードで、前記第２の記憶手段に記憶されているキーワードを変更するキーワード変更手段と
を更に備えたことを特徴とする請求項７に記載の通信システム。
【請求項９】
予め登録された通信端末装置からの着信時に所定の楽曲データを再生出力する着信通知手段を備えた通信端末装置と通信可能な中央装置において、
複数の楽曲を特定する情報と、前記通信端末装置が他の通信端末装置からの着信時に当該通信端末装置を特定する情報に対応付けられているキーワードが付与されている楽曲データを再生出力するための前記キーワードの内の１又は複数とを対応付けて記憶したキーワード記憶手段と、
前記通信端末装置から楽曲を特定する情報を受信した場合に、受信した楽曲を特定する情報に対応付けられているキーワードを前記キーワード記憶手段から読み出して前記通信端末装置へ送信する手段と
を備えたことを特徴とする中央装置。
【発明の詳細な説明】
【技術分野】
【０００１】
本発明はいわゆる着メロ，着歌等と称される着信時に単なる呼び出し音ではなく楽曲を再生出力するたとえば携帯電話機等の通信端末装置、そのような通信端末装置及びこれと通信可能な中央装置とで構成される通信システム、及び中央装置に関する。
【背景技術】
【０００２】
多くの携帯電話機においては、旧来の固定電話とは異なり、着信時に楽曲を再生出力することが可能に構成されている。このような楽曲は着メロ，着歌等と称されているが、それぞれの携帯電話機のユーザが好みの楽曲のデータを自ら入力したり、あるいは種々のウェブサイトからダウンロードすることが可能である。また、だれからの着信であるか、具体的にはだれが使用している携帯電話機からの着信であるかに応じてそれぞれ異なる楽曲が再生出力されるように設定しておくことも可能である（特許文献１参照）。
【特許文献１】特開２００２−２７０３０号公報
【発明の開示】
【発明が解決しようとする課題】
【０００３】
しかしながら、携帯電話機の多くのユーザは設定操作が煩瑣であること等の理由から、単に着信時に自身の好みの楽曲が再生出力されるように設定している場合が多く、着信の相手に応じて異なる楽曲をそれぞれ設定して利用しているユーザは現実には少ないのが実情である。従って、異なる相手からの着信に応じてそれぞれ異なる楽曲を再生出力することができるという折角の機能が十分には利用されておらず、このことはたとえば着メロ，着歌を提供している事業者にとってはビジネスチャンスの拡大を阻む要因となっているという問題があった。
【０００４】
本発明は以上のような事情に鑑みてなされたものであり、着信相手に応じて個々に楽曲を設定するという従来の煩瑣な操作を必要とせずに、着信時には着信相手に応じて異なる楽曲が再生出力されるように設定可能な通信端末装置の提供を主たる目的とする。
【０００５】
また本発明は上述のような通信端末装置及びこれと通信可能であって通信端末装置での設定を援助する中央装置とで構成される通信システム、及びそのような中央装置の提供をも目的とする。
【課題を解決するための手段】
【０００６】
本発明は端的には、通信端末装置のユーザが着信相手を感覚的に分類してキーワードを設定することにより、その分類に対応した楽曲が通信端末装置での着信時に再生出力されるように構成したものであり、楽曲の分類を中央装置において援助することを可能としたものである。
【０００７】
本発明の第１の発明に係る通信端末装置は、予め登録された通信端末装置からの着信時に所定の楽曲データを再生出力する着信通知手段を備えた通信端末装置において、他の通信端末装置を特定する情報に対応付けて複数のキーワードの内のいずれかの設定を受け付けるキーワード受け付け手段と、複数の通信端末装置それぞれを特定する情報及びそれぞれに対応付けて前記キーワード受け付け手段が受け付けたキーワードを記憶する第１の記憶手段と、前記複数のキーワードの内の１又は複数が付与された楽曲を再生出力するための楽曲データを記憶する第２の記憶手段とを備え、前記着信通知手段は、他の通信端末装置からの着信時に、当該通信端末装置を特定する情報に対応付けられているキーワードを前記第１の記憶手段から読み出し、読み出したキーワードが付与されている楽曲データを前記第２の記憶手段から読み出して再生出力するように構成されていることを特徴とする。
【０００８】
このような本発明の第１の発明に係る通信端末装置では、他の通信端末装置からの着信時に、当該通信端末装置を特定する情報に対応付けられているキーワードが第１の記憶手段から読み出され、この読み出されたキーワードが付与されている楽曲データが第２の記憶手段から読み出されて再生出力される。
【０００９】
また本発明の第２の発明に係る通信端末装置は上記の第１の発明の通信端末装置において、キーワードが付与されている楽曲データを外部から受信する受信手段と、該受信手段が受信した楽曲データをそれぞれに付与されているキーワードに対応して前記第２の記憶手段に記憶させる手段とを更に備えたことを特徴とする。
【００１０】
このような本発明の第２の発明に係る通信端末装置では上記の第１の発明の通信端末装置において、キーワードが付与されている楽曲データを外部から受信した場合に、受信した楽曲データがそれぞれに付与されているキーワードに対応して第２の記憶手段に記憶される。
【００１１】
また本発明の第３の発明に係る通信端末装置は上記の第２の発明の通信端末装置において、キーワードの変更を受け付ける手段と、該手段が受け付けたキーワードで、前記第２の記憶手段に記憶されているキーワードを変更するキーワード変更手段とを更に備えたことを特徴とする。
【００１２】
このような本発明の第３の発明に係る通信端末装置では上記の第２の発明の通信端末装置において、受け付けたキーワードで第２の記憶手段に記憶されているキーワードが変更される。
【００１３】
また本発明の第４の発明に係る通信端末装置は上記の第１の発明の通信端末装置において、キーワードが付与されていない楽曲データを外部から受信する受信手段と、該受信手段が受信した楽曲データをそれぞれの特性に応じて前記複数のキーワードに対応して分類し、分類結果に従ってキーワードを付与する楽曲データ分類手段と、前記受信手段が受信した楽曲データを前記楽曲データ分類手段が付与したキーワードに対応して前記第２の記憶手段に記憶させる手段とを更に備えたことを特徴とする。
【００１４】
このような本発明の第４の発明に係る通信端末装置では上記の第１の発明の通信端末装置において、キーワードが付与されていない楽曲データを外部から受信した場合に、受信した楽曲データがそれぞれの特性に応じて複数のキーワードに対応して分類され、この分類結果に従ってキーワードが付与されて第２の記憶手段に記憶される。
【００１５】
また本発明の第５の発明に係る通信端末装置は上記の第４の発明の通信端末装置において、前記楽曲データ分類手段は、前記受信手段が受信した楽曲データを、曲名、曲調、リズム、テンポ、ダイナミックレンジのいずれか一つ又は複数に基づいて分類するようにしてあることを特徴とする。
【００１６】
このような本発明の第５の発明に係る通信端末装置では上記の第４の発明の通信端末装置において、受信した楽曲データが、曲名、曲調、リズム、テンポ、ダイナミックレンジのいずれか一つ又は複数に基づいて分類される。
【００１７】
また本発明の第６の発明に係る通信端末装置は上記の第５の発明の通信端末装置において、キーワードの変更を受け付ける手段と、該手段が受け付けたキーワードで、前記楽曲データ分類手段が付与したキーワード及び／又は前記第２の記憶手段に記憶されているキーワードを変更するキーワード変更手段とを更に備えたことを特徴とする。
【００１８】
このような本発明の第６の発明に係る通信端末装置では上記の第５の発明の通信端末装置において、受け付けたキーワードで付与されたキーワード及び／又は第２の記憶手段に記憶されているキーワードが変更される。
【００１９】
更に本発明の第７の発明に係る通信システムは、予め登録された通信端末装置からの着信時に所定の楽曲データを再生出力する着信通知手段を備えた通信端末装置と、該通信端末装置と通信可能な中央装置とを含む通信システムにおいて、前記通信端末装置は、他の通信端末装置を特定する情報に対応付けて複数のキーワードの内のいずれかの設定を受け付けるキーワード受け付け手段と、複数の通信端末装置それぞれを特定する情報及びそれぞれに対応付けて前記キーワード受け付け手段が受け付けたキーワードを記憶する第１の記憶手段と、前記複数のキーワードの内の１又は複数が付与された楽曲を再生出力するための楽曲データを記憶する第２の記憶手段と、キーワードが付与されていない楽曲データを外部から受信する受信手段と、該受信手段が受信した楽曲データを特定する情報に基づいて前記中央装置から前記複数のキーワードの内の１又は複数を取得するキーワード取得手段とを備え、前記第２の記憶手段は前記キーワード取得手段が取得したキーワードを前記受信手段が受信した楽曲データに付与して記憶するようにしてあり、前記中央装置は、複数の楽曲を特定する情報と前記キーワードの内の１又は複数とを対応付けて記憶したキーワード記憶手段と、前記通信端末装置から楽曲を特定する情報を受信した場合に、受信した楽曲を特定する情報に対応付けられているキーワードを前記キーワード記憶手段から読み出して前記通信端末装置へ送信する手段とを備え、前記通信端末装置の前記着信通知手段は、他の通信端末装置からの着信時に、当該通信端末装置を特定する情報に対応付けられているキーワードを前記第１の記憶手段から読み出し、読み出したキーワードが付与されている楽曲データを前記第２の記憶手段から読み出して再生出力するように構成されていることを特徴とする。
【００２０】
このような本発明の第７の発明に係る通信システムでは、キーワードが付与されていない楽曲データの曲名を中央装置へ送信することにより中央装置からキーワードを取得することができ、通信端末装置において他の通信端末装置からの着信時に、当該通信端末装置を特定する情報に対応付けられているキーワードが第１の記憶手段から読み出され、この読み出されたキーワードが付与されている楽曲データが第２の記憶手段から読み出されて再生出力される。
【００２１】
また本発明の第８の発明に係る通信システムは上記の第７の発明の通信システムにおいて、前記通信端末装置は、キーワードの変更を受け付ける手段と、該手段が受け付けたキーワードで、前記第２の記憶手段に記憶されているキーワードを変更するキーワード変更手段とを更に備えたことを特徴とする。
【００２２】
このような本発明の第８の発明に係る通信システムでは上記の第７の発明の通信システムにおいて、受け付けたキーワードで第２の記憶手段に記憶されているキーワードが変更される。
【００２３】
更に本発明の第９の発明に係る中央装置は、予め登録された通信端末装置からの着信時に所定の楽曲データを再生出力する着信通知手段を備えた通信端末装置と通信可能な中央装置において、複数の楽曲を特定する情報と、前記通信端末装置が他の通信端末装置からの着信時に当該通信端末装置を特定する情報に対応付けられているキーワードが付与されている楽曲データを再生出力するための前記キーワードの内の１又は複数とを対応付けて記憶したキーワード記憶手段と、前記通信端末装置から楽曲を特定する情報を受信した場合に、受信した楽曲を特定する情報に対応付けられているキーワードを前記キーワード記憶手段から読み出して前記通信端末装置へ送信する手段とを備えたことを特徴とする。
【００２４】
このような本発明の第９の発明に係る中央装置では、通信端末装置から楽曲を特定する情報を受信した場合に、受信した楽曲を特定する情報に対応付けられているキーワードを通信端末装置へ送信する。
【発明の効果】
【００２５】
第１の発明に係る通信端末装置によれば、通信相手にキーワードを登録するという非常に簡単な操作のみにて、他の通信端末装置からの着信時にその通信端末装置を特定する情報に対応付けられているキーワードが付与されている楽曲データが再生出力されることにより、着信相手が判断可能になる。
【００２６】
また本発明の第２の発明に係る通信端末装置によれば上記の第１の発明の通信端末装置において、キーワードが付与されている楽曲データを外部から受信させることにより、ユーザは各楽曲に自身でキーワードを付与することなしに自動的にキーワードが付与される。
【００２７】
また本発明の第３の発明に係る通信端末装置によれば上記の第２の発明の通信端末装置において、既に登録されているキーワードをユーザから受け付けたキーワードで変更することにより、自動的に付与されたキーワードをユーザの好みに応じて任意に変更する由度が与えられる。
【００２８】
また本発明の第４の発明に係る通信端末装置によれば上記の第１の発明の通信端末装置において、キーワードが付与されていない楽曲データを外部から受信させることにより、受信した楽曲データにそれぞれの特性に応じて複数のキーワードを自動的に付与することが可能であるので、各楽曲にユーザがキーワードを付与する必要がない。
【００２９】
また本発明の第５の発明に係る通信端末装置によれば上記の第４の発明の通信端末装置において、受信した楽曲データが、曲名、曲調、リズム、テンポ、ダイナミックレンジ等に基づいて分類されてキーワードが自動的に付与されるので、ユーザがキーワードを自ら付与する必要がない。
【００３０】
また本発明の第６の発明に係る通信端末装置によれば上記の第５の発明の通信端末装置において、既に登録されているキーワード、または自動的に付与されたキーワードをユーザから受け付けたキーワードで変更することにより、自動的に付与されたキーワードをユーザの好みに応じて任意に変更する由度が与えられる。
【００３１】
更に本発明の第７の発明に係る通信システムによれば、キーワードが付与されていない楽曲データの曲名を中央装置へ送信することにより中央装置からキーワードを自動的に付与することができるので、キーワードが付与されていない楽曲データの利用度が向上すると共に、中央装置へのアクセス回数が増加するので、キーワードが付与されていない楽曲データを提供するウェブサイトも、中央装置が運営するウェブサイトも利用回数が増加するのでビジネスチャンスが拡大する。またユーザにとっても、各楽曲データにキーワードを自身で付与するという煩瑣な操作が不要になる。
【００３２】
更に本発明の第８の発明に係る通信システムによれば上記の第７の発明の通信システムにおいて、既に登録されているキーワードをユーザから受け付けたキーワードで変更することにより、自動的に付与されたキーワードをユーザの好みに応じて任意に変更する自由度が与えられる。
【００３３】
また本発明の第９の発明に係る中央装置によれば、多数の通信端末装置に対して楽曲に対応付けられているキーワードを送信することが可能になり、中央装置へのアクセス回数が増加するので、ビジネスチャンスが拡大する。
【発明を実施するための最良の形態】
【００３４】
以下、本発明の実施の形態について図面を参照して説明する。図１は本発明の第１の実施の形態である通信端末装置としての携帯電話機の内部構成例を示す機能ブロック図である。
【００３５】
本発明に係る通信端末装置である携帯電話機１は基本的には一般的な携帯電話機と同様に構成されている。即ち、マイクロコンピュータ，マイクロプロセッサ等からなる制御部１１を中心として、スピーカ及びマイクロフォンからなる送受話ユニット、種々の情報を記憶するメモリ１３、インターネット通信が可能な通信部１４、文字キーを兼ねるテンキー及び表示画面上での選択位置を上下左右に移動させる十字キー等のキーで主として構成されるユーザインタフェース１５、種々の表示を行なうためのＬＣＤ等を利用した表示部１６、携帯電話機としての機能を発揮させるための種々のプログラムが予め格納されているプログラムメモリ１７等が備えられていることは一般的な携帯電話機と同様である。
【００３６】
しかし、本発明の通信端末装置である携帯電話機１のプログラムメモリ１７には通常の携帯電話機用のソフトウェア（ＳＷ）ＳＷ１及びウェブページ閲覧用のソフトウェアであるウェブブラウザＳＷ２等は勿論のことであるが、その他に、本発明の通信端末装置である携帯電話機１のための専用のソフトウェアである着メロ再生ソフトウェアＳＷ３が予めインストールされている。
【００３７】
ところで、メモリ１３にはアドレス帳のデータベースと、着メロのデータベースと、着メロのデータ（楽曲データ）そのものが登録されているデータベースとが予め用意されている。アドレス帳のデータベース（以下、単にアドレス帳という）１３１は図２の模式図に示すように、携帯電話機１のユーザが予め登録した通信相手のアドレス（電子メールアドレス），電話番号，氏名，年令，キーワード等がＩＤ別に登録可能に構成されている。但し、住所，勤務先名，勤務先住所等も登録可能に構成されていてもよい。
【００３８】
このような本発明の携帯電話機１のアドレス帳１３１が従来の携帯電話機のアドレス帳と異なる点は、キーワードが登録項目として含まれていることである。このキーワードの登録欄は、携帯電話機１のユーザがアドレス帳１３１に登録した各人について、予め着メロ再生ＳＷ３が用意している複数のキーワードのいずれかを登録するために用意されている。キーワードとしては、アドレス帳１３１に登録されている個々人についてたとえば、楽しい，明るい，暗い，癒される等のようなその人物のイメージ、あるいはロック，演歌，クラシック，Ｊポップ，童謡，賛美歌等のようなそれぞれの人物に似合う、またはそれぞれの人物の好みの音楽ジャンル等が設定可能である。
【００３９】
一方、着メロＤＢ１３２は図３の模式図に示すように、携帯電話機１のユーザがウェブサイトからダウンロードする等により取得した着メロに関して、曲名，楽曲データの楽曲データＤＢ１３３での格納アドレス，キーワード等がＩＤ別に登録可能に構成されている。なおこの第１の実施の形態では、各着メロは特定のウェブサイトから、上述したようなキーワードが一又は複数予め付与されているものをダウンロードするものとする。従って、このような本発明の携帯電話機１の着メロＤＢ１３２が従来の携帯電話機のそれと異なる点は、着メロの楽曲データを特定のウェブサイトからダウンロードすることにより、前述したようなキーワードが予め付与されていることである。
【００４０】
次に、上述のような構成の本発明の通信端末装置としての携帯電話機１の動作について、図４のフローチャートを参照して説明する。なお、以下の処理は制御部１１が主として着メロ再生ＳＷ３に基づいて実行する。
【００４１】
まず、携帯電話機１は通常の携帯電話機用ＳＷ１に従って、着信があるか否かを常時監視しているが（ステップＳ１１でＮＯ）、着信があると（ステップＳ１１でＹＥＳ）、制御部１１は着信した相手がアドレス帳１３１に登録されているか否かを判断する（ステップＳ１２）。アドレス帳１３１に登録されていない相手からの着信であった場合は、制御部１１は楽曲データＤＢ１３３から「非登録用の着メロ」の楽曲データを読み出してたとえば送受話ユニット１２のスピーカから再生出力する（ステップＳ１３）。この「非登録用の着メロ」は、携帯電話機１のユーザが予め登録しておいた楽曲でもよいし、携帯電話機１に予め登録されている楽曲でもよいし、特定のウェブサイトからダウンロードしたものでもよい。更には、「非登録の相手からの着信です」というような、楽曲ではない着信通知であってもよい。
【００４２】
アドレス帳１３１に登録されている相手からの着信であった場合は（ステップＳ１２でＹＥＳ）、制御部１１は特定した相手に対応してアドレス帳１３１に登録されているキーワードを読み出す（ステップＳ１４）。但し、特定した相手に対応してアドレス帳１３１にキーワードが登録されていない場合は（ステップＳ１５でＹＥＳ）、制御部１１は後述するステップＳ１７へ処理を進める。キーワードが登録されていれば（ステップＳ１５でＮＯ）、次に制御部１１はアドレス帳１３１から読み出したキーワードが着メロＤＢ１３２に登録されているか否かを調べる（ステップＳ１６）。アドレス帳１３１から読み出したキーワードが着メロＤＢ１３２に登録されていない場合は（ステップＳ１６でＮＯ）、制御部１１は楽曲データＤＢ１３３から「キーワード未登録用の着メロ」の楽曲データを読み出して前述同様に再生出力する（ステップＳ１７）。この「キーワード未登録用の着メロ」は、携帯電話機１のユーザが予め登録しておいた楽曲でもよいし、携帯電話機１に予め登録されている楽曲でもよいし、特定のウェブサイトからダウンロードしたものでもよいが、アドレス帳１３１に登録されていない人物からではなく、登録されている人物からの着信であることが携帯電話機１のユーザに理解可能な楽曲であることが望ましい。
【００４３】
アドレス帳１３１から読み出したキーワードが着メロＤＢ１３２に登録されている場合は（ステップＳ１６でＹＥＳ）、制御部１１はアドレス帳１３１から読み出したキーワードが付与された着メロが着メロＤＢ１３２に複数登録されているか否かを次に判断する（ステップＳ１８）。一つのみが登録されている場合（ステップＳ１８でＮＯ）、制御部１１はそのキーワードに対応して登録されている楽曲データＤＢ１３３での格納アドレスに基づいて楽曲データＤＢ１３３から楽曲データを読み出して再生出力する（ステップＳ１９）。一方、ステップＳ１８において複数が登録されていることが判明した場合（ステップＳ１８でＹＥＳ）、制御部１１はそれらの内の一つをランダムに、あるいは所定の順序（たとえば登録された順序）で選択し、上述同様にして楽曲データＤＢ１３３から楽曲データを読み出して再生出力する（ステップＳ２０）。
【００４４】
以上のように、本発明の第１の実施の形態に係る通信端末装置によれば、ユーザがたとえばある人物をアドレス帳１３１に登録する際に（登録後であっても勿論よい）、その人物が演歌っぽいイメージの人物であればキーワードとしてたとえば「演歌」を登録しておくと、その人物からの着信があった場合に着メロＤＢ１３２に「演歌」のキーワードが付与されて登録されている着メロがあれば、その「演歌」の楽曲が着メロとして再生出力される。また、ユーザがたとえばある人物をアドレス帳１３１に登録する際に（登録後であっても勿論よい）、その人物が非常に明るい好人物であればキーワードとしてたとえば「明るい」を登録しておくと、その人物からの着信があった場合に着メロＤＢ１３２に「明るい」のキーワードが付与されて登録されている着メロがあれば、その「明るい」曲調の楽曲が着メロとして再生出力される。
【００４５】
従って、携帯電話機１のユーザはアドレス帳１３１に登録されている個人について個々に楽曲を対応付けて登録するという煩瑣な操作を行なわずとも、着信時に再生出力される着メロの楽曲からある程度はだれからの着信であるのかを大まかにではあるが判断することが可能になる。
【００４６】
次に本発明の第２の実施の形態について図面を参照して説明する。図５は本発明に係る通信システムの一実施の形態としてのシステム構成例を示す模式図である。
【００４７】
図５に示す本発明に係る通信システムにおいては、キーワードが付与されていない着メロをダウンロードした場合に、特定のウェブサイトからその着メロに対応するキーワードを取得することが可能に構成されている。
【００４８】
即ち、前述した第１の実施の形態では、予めキーワードが付与された着メロの楽曲データを特定のウェブサイトからダウンロードすることが可能なのみの構成であったが、第２の実施の形態では不特定多数のウェブサイトからキーワードが付与されていない一般的な着メロの楽曲データをダウンロードした場合に、その着メロの曲名に対応するキーワードを特定のウェブサイトから取得して付与する。
【００４９】
図５に示す構成例では、特定のウェブサイトとしてのサービスサイト２にインターネット通信可能なサービスサーバ２１が備えられている。サービスサイト２にはサービスサーバ２１の他に少なくとも個人認証ＤＢ２３とキーワードＤＢ２２とを備えており、これらはサービスサーバ２１と接続している。
【００５０】
従って、携帯電話機１がサービスサイト２以外の不特定多数のウェブサイトから着メロをダウンロードした場合、着再生分類ＳＷ３がサービスサイト２のサービスサーバ２１にアクセスして通信を行ない、個人認証用データと曲名とを送信する。サービスサイト２ではサービスサーバ２１が携帯電話機１から個人認証用データ及び曲名を受信し、受信した個人認証用データを使用して個人認証ＤＢ２３で携帯電話機１のユーザを認証した後に、受信した曲名に対応するキーワードをキーワードＤＢ２２から読み出して携帯電話機１へ返送する。
【００５１】
以上により、携帯電話機１はキーワードが付与されていない着メロをダウンロードした場合にも、それに対応するキーワードをサービスサイト２から取得して着メロＤＢ１３２に登録することが可能になる。なお、サービスサイト２においては、個人認証（ユーザ認証）に際して課金することも可能であるが、個人認証を行なわずに無料でサービスするようにしてもよい。
【００５２】
次に本発明の第３の実施の形態について図面を参照して説明する。図６は本発明の第３の実施の形態に係る通信端末装置としての携帯電話機の内部構成例を示す機能ブロック図である。
【００５３】
図６に示す本発明に係る通信端末装置としての携帯電話機１は、図１に示した第１の実施の形態のそれと比較して、プログラムメモリ１７に着メロ分類ソフトウェア（ＳＷ）が追加してインストールされている。この着メロ分類ＳＷ４は、携帯電話機１が外部の不特定多数のウェブサイトからダウンロードした種々の着メロを第１の実施の形態の場合と同様の複数のキーワードに自動的に分類するソフトウェアである。
【００５４】
即ち、前述した第１の実施の形態では、予めキーワードが付与された着メロの楽曲データを特定のウェブサイトからダウンロードすることが可能なのみの構成であり、また第２の実施の形態では、キーワードを取得するためには中央装置であるサービスサイトと通信を行なう必要があったが、この第３の実施の形態では不特定多数のウェブサイトからキーワードが付与されていない一般的な着メロの楽曲データをダウンロードし、それを携帯電話機１が独自に着メロ分類ＳＷ４により分類させてキーワードを付与することが可能に構成されている。
【００５５】
具体的には、着メロ分類ＳＷ４は、ダウンロードした着メロの曲名に基づいて、あるいはその着メロの楽曲データを解析した結果、具体的には曲調，リズム，テンポ，ダイナミックレンジ等に基づいて、第１の実施の形態と同様の予め用意されているキーワードを付与した後に着メロＤＢ１３２及び楽曲データＤＢ１３３に登録する。
【００５６】
なお、着メロの楽曲データの曲調，リズム，テンポ，ダイナミックレンジ等に基づく分類は、音楽のジャンル別のそれらの特徴をパターン化して携帯電話機１のメモリ１３に予め記憶させておくことにより、可能になる。
【００５７】
また、着メロの曲名に基づく分類は、曲名に含まれる単語から類推可能であることは勿論であるが、曲名とキーワードとの対応テーブルを携帯電話機１のたとえばメモリ１３に予め用意しておくこととも可能である。
【００５８】
次に、上述のような構成の本発明の第３の実施の形態の通信端末装置としての携帯電話機１の動作について、図７のフローチャートを参照して説明する。なお、以下の処理は制御部１１が主として着メロ分類ＳＷ４に基づいて実行する。
【００５９】
まず、携帯電話機１がいずれかのウェブサイトから着メロをダウンロードするまで、制御部１１は待機している（ステップＳ３１）。但し、ダウンロードするのではなく、携帯電話機１のユーザが自作の曲を入力してもよい。着メロがダウンロードされると（ステップＳ３１でＹＥＳ）、制御部１１はダウンロードした着メロの曲名に基づいてキーワードを付与し（ステップＳ３２）、更にその着メロの楽曲データの解析に基づいてキーワードを付与する（ステップＳ３３）。以上のようにしてキーワードが付与されると、制御部１１は表示部１６に曲名と付与したキーワードとを表示する（ステップＳ３４）。但し、この時点で表示部１６に表示されるキーワードはキーワード候補ということになる。
【００６０】
この表示部１６に表示された曲名とキーワード候補とを携帯電話機１のユーザが見て、いずれかのキーワード候補が適切であると判断した場合にはそれを選択する操作をユーザインタフェース１５を操作して選択する（ステップＳ３５）。制御部１１はユーザがキーワード候補を選択した場合（ステップＳ３５でＹＥＳ）、その着メロに選択されたキーワードを付与して着メロＤＢ１３２及び楽曲データＤＢ１３３に登録する（ステップＳ３６）。
【００６１】
一方、ステップＳ３５でユーザがキーワードを選択しなかった場合（ステップＳ３５でＮＯ）、制御部１１はキーワードの入力を促す表示を表示部１６に行ない、これに応じてユーザがキーワードを入力するまで待機する（ステップＳ３７でＮＯ）。ユーザがキーワードを入力すると（ステップＳ３７でＹＥＳ）、制御部１１は入力されたキーワードを付与し（ステップＳ３８）、着メロを着メロＤＢ１３２及び楽曲データＤＢ１３３に登録する（ステップＳ３６）。
【００６２】
なお、上述の処理手順において、ステップＳ３４，Ｓ３５をスキップさせてユーザが関与しないようにすることも可能である。この場合にはステップＳ３３及びＳ３４において付与されたキーワード候補がそのまま着メロのキーワードとして付与され、着メロＤＢ１３２及び楽曲データＤＢ１３３に自動的に登録される。
【００６３】
更に、既に登録されているキーワードを変更することも勿論可能である。即ち、先のステップ３１において着メロのダウンロードを待機している間にユーザがキーワード変更の操作をユーザインタフェース１５の操作により指示した場合（ステップＳ４１でＹＥＳ）、制御部１１は着メロＤＢ１３２に既に登録されているいずれかの着メロが選択される操作が行なわれるのを待機する（ステップＳ４２でＮＯ）。この操作は、制御部１１が着メロＤＢ１３２に登録されている着メロの曲名を表示部１６にリスト表示し、ユーザがユーザインタフェース１５の操作によりいずれかを選択することにより可能である（ステップＳ４２でＹＥＳ）。
【００６４】
次に、制御部１１は選択された着メロの曲名とキーワードとを表示部１６に表示し（ステップＳ４３）、ユーザが新たなキーワードを入力するまで待機する（ステップＳ３７でＮＯ）。新たなキーワードが入力されると（ステップＳ３７でＹＥＳ）、制御部１１は入力されたキーワードをそれまで付与されていたキーワードに代えて付与し（ステップＳ３８）、着メロＤＢ１３２及び楽曲データＤＢ１３３に登録する（ステップＳ３６）。
【００６５】
以上のように、本発明の第３の実施の形態に係る通信端末装置によれば、ユーザが不特定多数のウェブサイトから着メロをダウンロードした場合に、通信端末装置である携帯電話機が単独で自動的にその着メロにキーワードを付与することが可能になる。
【００６６】
なお、上述の各実施の形態では、携帯電話機１のアドレス帳１３１には個人単位で登録されているが、複数の個人を一単位のグループ、たとえば勤務先の同僚のグループ、家族（親族）のグループ、友人のグループ、等のようなグループ単位にまとめて登録することも可能である。そのようにしてアドレス帳１３１において複数の個人をグループ化して登録した場合には、グループに対して上述したようなキーワードを付与してアドレス帳１３１に登録すれば、あるグループに含まれる個人からの着信時にはその個人ではなく、その個人が含まれるグループに付与されているキーワードに対応する着メロを再生出力することが可能である。
【００６７】
更に、上述した第１乃至第３の実施の形態はそれぞれ単独でも、またいずれか二つを組み合わせても、更には全てを組み合わせても実施可能であることはいうまでもない。従って、所謂着メロ，着歌を提供するウェブサイトのビジネスチャンスが拡大し、また第１の実施の形態において携帯電話機が着メロをダウンロードするウェブサイト、第２の実施の形態において曲名に対応するキーワードを取得するためにアクセスされるサービスサイト、更にはそれら以外の着メロを提供するウェブサイトのいずれもアクセス回数が増加することが期待され、いずれもビジネスチャンスが拡大する。
【図面の簡単な説明】
【００６８】
【図１】本発明の第１の実施の形態である通信端末装置としての携帯電話機の内部構成例を示す機能ブロック図である。
【図２】アドレス帳の登録内容を示す模式図である。
【図３】着メロデータベースの登録内容を示す模式図である。
【図４】本発明の第１の実施の形態の通信端末装置としての携帯電話機の動作を説明するためのフローチャートである。
【図５】本発明に係る通信システムの一実施の形態としてのシステム構成例を示す模式図である。
【図６】本発明の第３の実施の形態に係る通信端末装置としての携帯電話機の内部構成例を示す機能ブロック図である。
【図７】本発明の第３の実施の形態の通信端末装置としての携帯電話機の動作を説明するためのフローチャートである。
【符号の説明】
【００６９】
１    携帯電話機
２    サービスサイト
２１  サービスサーバ
２２  キーワードデータベース
１１  制御部
１２  送受話ユニット
１３  メモリ
１３１  アドレス帳
１３２  着メロデータベース
１３３  楽曲データデータベース
１４  通信部
１５  ユーザインタフェース
１６  表示部
１７  プログラムメモリ
ＳＷ３  着メロ再生ソフトウェア
ＳＷ４  着メロ分類ソフトウェア
【図１】
2006229348.tif 000003
【図２】
2006229348.tif 000004
【図３】
2006229348.tif 000005
【図４】
2006229348.tif 000006
【図５】
2006229348.tif 000007
【図６】
2006229348.tif 000008
【図７】
2006229348.tif 000009